(57)【要約】【課題】 予備のロールペーパーを格納し現用のロールペーパーを使い終わったとき空芯の処分を後回しにしてすばやく現用と予備とを交換できるロールペーパーホルダーを提供する。【解決手段】  ロールペーパー差込軸及び概ね反対側に軸受けを設けた回転体を二個設置し、片方のロールペーパー差込軸に現用のロールペーパーを差込み、他方の回転体の軸受けに取り付け、そのあいているロールペーパー差込軸に予備のロールペーパーを差し込んでおく。現用のロールペーパーを使い切ったら軸受けからロールペーパー差込軸をはずし両方の回転体を回転させて予備を差し込んであるロールペーパー差込軸を他方の軸受けに取り付けることで空芯を処分するのを後回しにしてすばやく予備を現用にする。【選択図】図1
2010213833.tif 000002
【特許請求の範囲】
【請求項１】
ロールペーパーホルダーにおいて、壁面又は床面に取り付けられる二個の回転体支え部と、これらの回転体支え部に取り付けた自由に回転する回転体を有し、それぞれの回転体の一方にはロールペーパー取り付け軸を設け、概ね反対側の位置には他の回転体のロールペーパー取り付け軸に対応する軸受けを設け、片方の回転体の差込軸にロールペーパーが保持されたまま他方の回転体の軸受けに取り付けることができ、その回転体のあいている軸受けに予備のロールペーパーを取り付けることを可能にしたロールペーパーホルダー。
【発明の詳細な説明】
【技術分野】
【０００１】
本発明は簡単に予備と交換できるロールペーパーホルダーに関する。
【背景技術】
【０００２】
従来の予備付きロールペーパーホルダーには装置本体に予備を一個格納し、使い終わったロールペーパーの空芯を取り外したあと予備をスライドさせて取り付けるものがあった。た。（
特許文献１参照。）。
また予備を多数格納するものも考案されている（ 特許文献２参照。）。
【先行技術文献】
【特許文献】
【０００３】
【特許文献１】特許４１１９８1９号公報
【特許文献２】実登３０２６４２８号公報
【発明の概要】
【発明が解決しようとする課題】
【０００４】
従来の予備付きロールペーパーホルダーはいずれも現用の差し込み軸から使い終わった空芯を取り外し、処分してから予備を取り付けるというタイプのものであり、このためロールペーパーの交換に手間どって時間がかかり、特にトイレで使用中のトイレットペーパーを使い切ってしまった場合は早く用を済ませたい人間の心理から不便を感じることが多かった。
【０００５】
本発明はこのような従来の構成が有していた問題を解決しようとするものであり、すばやく予備をセットして使用できるロールペーパーホルダーを実現することを目的とするものである。
【課題を解決するための手段】
【０００６】
上記の目的を達成する本発明は、壁面又は床面に取り付けられる二個の回転体支え部と、これらの回転体支え部にそれぞれに取り付けた自由に回転する回転体を有するロールペーパーホルダーであって、回転体の一箇所にはロールペーパー取り付け軸を設け、概ね反対側には別の回転体のロールペーパー取り付け軸に対応した軸受けを設ける。
【０００７】
上記の課題解決手段による作用は次のとおりである。すなわち回転体をそれぞれ１,２とすると回転体１のロールペーパー差込軸にロールペーパーを差込み、回転体２の軸受けに設置して使用し、回転体２のロールペーパー差込軸に予備のロールペーパーを差しておく。回転体１のロールペーパーを使い終わった時は回転体１及び回転体２を共に回転させると今度は回転体２のロールペーパー差込軸に予備のロールペーパーが差し込まれたまま回転体１の軸受けと対向することになりこれをはめ込むと予備が現用となる。このとき回転体１のロールペーパー差込軸には空芯が残ったままであるが邪魔にはならない。あとで都合の良いときに空芯をはずして処分し予備のロールペーパーを差し込んでおく。
【発明の効果】
【０００８】
上述したように本発明のロールペーパーホルダーはロールペーパー差込軸と軸受けを設けた回転体１及び回転体２が相互に組み合うことで予備のロールペーパーを格納でき、さらに空芯の処理を後回しにしてすばやく現用と予備のロールペーパーを切り替えて使用を開始することができ、便利な予備付きロールペーパーホルダーを提供できる。  
【図面の簡単な説明】
【０００９】
【図１】本考案の実施形態を示すロールペーパーを取り付けた外観図
【図２】本考案の実施形態を示すロールペーパーを取り外した外観図で回転体１のロールペーパー差込軸が現用となっているときの図
【図３】本考案の実施形態を示すロールペーパーを取り外した外観図で現用と予備の切り替え作業中の例１
【図４】本考案の実施形態を示すロールペーパーを取り外した外観図で現用と予備の切り替え作業中の例２
【図５】本考案の実施形態を示すロールペーパーを取り外した外観図で回転体２のロールペーパー差込軸が現用となっているときの図
【図６】ロールペーパー差込軸３及び４の一部を切り欠いた外観図
【図７】本考案の実施形態を示すロールペーパーを取り付けた外観図でロールペーパー差込軸及び軸受けの形態が上から載せて係止するもの
【図８】本考案の実施形態を示すロールペーパーを取り付けた外観図でロールペーパー差込軸及び軸受けの形態が上から載せて係止するもの
【発明を実施するための形態】
【００１０】
以下、本発明の実施の形態を図１〜図８に基づいて説明する。なお図６以外はいずれも回転体支え部をあらかじめ背板に取り付けてある。
【実施例１】
【００１１】
図１は左の回転体１のロールペーパー差込軸に差し込んだロールペーパーが現用となっているときのロールペーパーを取り付けた外観図である。
【００１２】
図２以降は本考案のみの外観図である。図２においては回転体１の
ロールペーパー差込軸３に現用のロールペーパーを差込み、回転体２の軸受け６に設置してある。回転体２のロールペーパー差込軸４には予備のロールペーパーを差込んでおく。
【００１３】
図２において現用のロールペーパーを使い切ったときは空芯を差し込んだまま回転体１のロールペーパー差込軸３を回転体２の軸受け６からはずし、回転体１及び回転体２を回転させ予備のロールペーパーが差し込んである回転体２のロールペーパー差込軸４と回転体１の軸受け５を設置する。この結果が図５であり、途中経過の例のうち二つを図３、図４に示す。図３は回転体１、２を同時に回転したときの途中経過図であり、図４は回転体１だけを先に回転させた途中経過図である。
【００１４】
この結果回転体２のロールペーパー差込軸４に差し込んであるロールペーパーが今度は
現用となりすぐに使用開始できる。回転体１のロールペーパー差込軸３に残っている空芯は邪魔にはならないので現用を使い切るまでのいずれかのときに処分して新品を差し込んでおく。この際ロールペーパーの巻き取り方向は現用とは逆になるようにする。
【００１５】
回転体２のロールペーパー差込軸４に差し込んであるロールペーパーを使い切ったときはこれまでと同じ要領で回転体２及び回転体１を回転させ、回転体１のロールペーパー差込軸５と回転体２の軸受け６を設置すると再び回転体１のロールペーパー差込軸３に差し込んであるロールペーパーが現用となる。  以後同じ要領で繰り返す。
【実施例２】
【００１６】
図7及び図8はロールペーパー差込軸と軸受けの設置の形態が図1から図5までとは別のものである。
【００１７】
以上、本発明の実施の形態を説明したが本発明の範囲はこれに限定されるものではない。
回転体１，２は図面での説明の都合上板状のものにロールペーパー差込軸及び軸受けを取り付けたが板状である必要はなく、ロールペーパー差込軸及び軸受けを取り付けることさえ出来れば形状はどのようであってもかまわない。またロールペーパー差込軸及び軸受けの形態であるが図６のように弾性体を用いた伸縮するロールペーパー差込軸とそれがはまり込む形の軸受けである必要はなく、図７及び図８で示すようにロールペーパー差込軸及び軸受けが容易に外れないように係止出来る物の他、嵌合するもの、磁力や摩擦力を利用するもの、面ファスナーを利用するものなど着脱可能に取り付けるものならば何でも良い。
【００１８】
またロールペーパー差込軸３と４は同じ形状でなくても良く、軸受け５と６は同じ形状である必要はない。必要なのはロールペーパー差込軸３と軸受け６が設置でき、かつまたロールペーパー差込軸４と軸受け５が設置できることである。このためこの二組の設置の形態が片方は嵌合でもう片方は磁力を利用したものというように違う形態でもかまわない。
【００１９】
また回転体支え部７，８はそれぞれ二箇所で回転体を支える必要はなく回転体が抜け落ちないようにして上から一箇所で支えても良いし、下から一箇所で支えても良い。
【符号の説明】
【００２０】
１  回転体
２  回転体
３  ロールペーパー差込軸  
４  ロールペーパー差込軸
５  軸受け
６  軸受け
７  回転体支え部
８  回転体支え部
９  紙切り板
１０  背板
１１  弾性体
【図１】
2010213833.tif 000003
【図２】
2010213833.tif 000004
【図３】
2010213833.tif 000005
【図４】
2010213833.tif 000006
【図５】
2010213833.tif 000007
【図６】
2010213833.tif 000008
【図７】
2010213833.tif 000009
【図８】
2010213833.tif 000010